(57)【特許請求の範囲】
【請求項１】
底壁周縁から周壁３を起立し、該周壁上端部を口部とした内外両容器１ａ、１ｂからなる容器体１と、上記容器体口部へ嵌合させたキャップ18とを備え、
上記外容器１ａは、中空胴部を備え、
上記内容器１ｂは、上記外容器１ａ内面へ着脱自在に嵌合させ、
上記容器体の底部内へ、外周面を上記周壁３内面へ水密に接して上昇可能に嵌合させ、かつ、下面に係合部を突設した摺動底板１３を設け
上記外容器１ａの底板２ａと内容器１ｂの底板２ｂとの一方に、肉薄ヒンジ形成用の直線凹溝６,６と、破断線８，８とで囲まれる底上げ用板部９,９を形成すると共に、他方を開口５し、
上記破断線の破断で切り離された底上げ用板部を屈曲により内容器１ｂ内へ起立させて、上記摺動底板１３下面へ係合可能に設けたことを特徴とするペースト状クリーム収納容器。
【請求項２】
底壁２左右ないし前後両部に、直線凹溝と破断線とによって囲まれる一対の円形状の底上げ用板部９,９を形成し、破断線の破断によって円形状の底上げ用板部が内容器１ｂ内に起立可能に設けたことを特徴とする請求項１記載のペースト状クリーム収納容器。
【請求項３】
底壁２外周縁内の左右又は前後両部に直線凹溝と破断線とによって囲まれる複数の長方形状の底上げ用板部９,９を形成し、破断線の破断によって長方形状の底上げ用板部が内容器１ｂ内に起立可能に設けたことを特徴とする請求項１記載のペースト状クリーム収納容器。
【請求項４】
上記内容器１ｂ内面に底上げ表示線３ｃを設けたことを特徴とする請求項１ないし３の１つに記載のペースト状クリーム収納容器。
【発明の詳細な説明】
【０００１】
【発明の属する技術分野】
本発明は、ペースト状クリーム収納容器に関する。
【０００２】
【従来の技術】
従来、化粧品等のペースト状クリームを収納させた容器として、構造が簡略で廉価であること等の理由から、有底筒状の容器体の上部外面に、該容器体上面を閉塞する蓋板周縁から垂下した周壁を螺合させた容器が広く使用されている。
【０００３】
【発明が解決しようとする課題】
上記従来容器では、さじ等を用いて収納クリームを取り出す場合は別として、収納クリームが残り少なくなると、指先を容器体の底部まで入れないと、クリームを取り出すことができなくなる不便があり、そのため、収納クリームを指先で取り出すことを前提とした場合、容器体を深く形成することは好ましいことでなかった。
【０００４】
本発明は、容器体の下部内面に摺動底蓋を上方摺動可能に嵌合させ、かつ容器体内下半のクリームを摺動底蓋で容器体内上部へ押上げることができるよう形成することで、収納クリームを最初から最後まで容易に取り出すことができるよう設けると共に、容器体底壁の一部を、肉薄ヒンジ形成用の直線凹溝と、該凹溝両端間に設けた破断線とで囲成した底蓋押上げ用板部に形成することで、摺動底蓋を底蓋押上げ用板部によって容易に押上げることができるよう設けた。
【０００５】
【課題を解決するための手段】
第１の手段として、底壁周縁から周壁３を起立し、該周壁上端部を口部とした内外両容器１ａ、１ｂからなる容器体１と、上記容器体口部へ嵌合させたキャップ18とを備え、
上記外容器１ａは、中空胴部を備え、
上記内容器１ｂは、上記外容器１ａ内面へ着脱自在に嵌合させ、
上記容器体の底部内へ、外周面を上記周壁３内面へ水密に接して上昇可能に嵌合させ、かつ、下面に係合部を突設した摺動底板１３を設け、
上記外容器１ａの底板２ａと内容器１ｂの底板２ｂとの一方に、肉薄ヒンジ形成用の直線凹溝６,６と、破断線８，８とで囲まれる底上げ用板部９,９を形成すると共に、他方を開口５し、
上記破断線の破断で切り離された底上げ用板部を屈曲により内容器１ｂ内へ起立させて、上記摺動底板１３下面へ係合可能に設けたことを特徴とする。
【０００６】
第２の手段として、底壁２左右ないし前後両部に、直線凹溝と破断線とによって囲まれる一対の円形状の底上げ用板部９,９を形成し、破断線の破断によって円形状の底上げ用板部が内容器１ｂ内に起立可能に設けたことを特徴とする。
【０００７】
第３の手段として、底壁２外周縁内の左右又は前後両部に直線凹溝と破断線とによって囲まれる複数の長方形状の底上げ用板部９,９を形成し、破断線の破断によって長方形状の底上げ用板部が内容器１ｂ内に起立可能に設けたことを特徴とする。
【０００８】
第４の手段として、内容器１ｂ内面に底上げ表示線３ｃを設けたことを特徴とする。
【０００９】
【発明の実施の形態】
本発明容器は、容器体１、摺動底板13およびキャップ18とからなり、容器体１は、底壁２外周から起立する周壁３の上端部を口部４としたものであり、図示例にあっては、外容器1aと内容器1bとで形成されている。外容器1aは、上下二部品で形成されて、内外二重構造とした胴部と上下二重構造とした底板2aを有し、外周部を残してその底板2aを開口５すると共に、上記胴部の上端から螺筒を起立して、該螺筒を容器体の口部４となし、かつその螺筒と上記胴部を第１周壁形成筒3aとしている。図示例の外容器1aは、デザイン上の理由等から上下二部品で形成したが、第１周壁形成筒3aが有する内部空洞を埋めて一部材で形成してもよい。
【００１０】
又内容器1bは、底板2bの外周縁から起立した第２周壁形成筒3bを上記第１周壁形成筒3aの内面に嵌合させて、それ等第１, 第２周壁形成筒3a, 3bで容器体周壁３を形成し、又その第２周壁形成筒3b上端に付設した外向きフランジの下面を第１周壁形成筒3a上端面へ係合させ、更に、図３のように、内容器底板2bの左右ないし前後方向中間部分のうち、該中間部分の両端部を除く部分両側に肉薄ヒンジ形成用の直線凹溝６, ６を穿設すると共に、上記両端部を除く、底板2b外周縁との間に小間隙を隔てた外周部分に、切り離し用破断子７付きの切り離し線を穿設することで破断線８，８を設けて、それ等直線凹溝６, ６と破断線８, ８とが囲成する底板部分を底上げ用板部９, ９とし、かつこれ等底上げ用板部の外周縁中間に係合突部10を付設している。上記第２周壁形成筒3bの下端部外面と第１周壁形成筒3aの下端部内面とには、回転止め用の凹凸部11ａ, 11ｂを縦設して相互に係合させとよい。又上記第２周壁形成筒3bの内面中間には底上げ表示線3cを横設し、収納クリーム状物がその表示線以下に減少したならば、後述摺動底板13を押上げて、表示線下方のクリーム状物を表示線上方の第２周壁形成筒部分内へ押上げるものとする。更に、内容器1bは、第２周壁形成筒3bを第１周壁形成筒3a内面へ着脱自在に嵌合させることで交換可能に形成するとよく、この場合、交換用の内容器は、外容器第１周壁形成筒3aの上半内面に嵌合可能な大きさに形成し、かつ交換用内容器体の第２周壁形成筒上面を蓋板で剥離可能に閉塞しておけばよい。
【００１１】
摺動底板13は、底壁14外周縁に設けた、上下両部を大外径に形成した弾性周壁15を内容器の第２周壁形成筒3b下部内面に水密かつ上方摺動可能に嵌合させ、又図３が示すように、底壁14の中央部下面に筒状係合部16を付設している。
【００１２】
キャップ18は、容器体口部４に螺合させた嵌合筒部19上端から内向きフランジ状の頂壁20を介して短筒部21を起立すると共に、上記嵌合筒部19の後部上端と、短筒部21上面を閉塞させた補助蓋22の後部とをヒンジ23を介して結合させ、かつ補助蓋22の外周下面から垂下した筒状栓部24を上記短筒部21の内面へ着脱自在に嵌合させている。
【００１３】
図示例では、内容器の底板2bを容器体１の底壁２となし、かつその底板2bの一部を底上げ用板部９としたが、外容器1aの底板2aに、内容器底板2bに設けたような直線凹溝６と切り離し用破断子７付きの切り離し線を設けて、これ等直線凹溝と切り離し線が囲成する底板2a部分を底上げ用板部９としてもよく、かつこの場合、内容器底板2bを外周部を除いて大きく開口させて、外容器体の底板2aを容器体の底壁とする。
【００１４】
収納クリーム状物の残りが半分以下となって取り出しづらくなったらば、切り離し用破断子７を破断させ、かつ図２のように、直線凹溝６, ６で形成した肉薄ヒンジを屈折させて底上げ用板部９, ９を起立させることで、摺動底板13を押上げて収納クリーム状物を容器体周壁３の上半内へ移動させ、又底上げ用板部の係合突部10を摺動底板の筒状係合部16内面へ係合させて、底上げ用板部９，９の起立状態を保持する。
【００１５】
底上げ用板部９，９は、図４が示すように形成してもよい。該例では、内容器の底板2b外周縁内の左右又は前後両部に大きくかつ平行に同一大きさの長方形を想定して、それ等両長方形の各辺のうち、相反する側の短辺に肉薄ヒンジ形成用の直線凹溝６, ６をそれぞれ穿設すると共に、残りの三辺に切り離し用破断子７付きの切り離し線をそれぞれ穿設することで破断線８，８を設けて、これ等直線凹溝６, ６と切り離し線とで囲成した底板部分を底上げ用板部９, ９に形成し、切り離し用破断子７を破断させ、かつ直線凹溝６, ６で形成した肉薄ヒンジを屈折させて底上げ用板部９, ９を起立させることで、摺動底板13を押上げて収納クリーム状物を容器体周壁３の上半内へ移動できるよう形成している。
【００１６】
【発明の効果】
本発明は、上記構成とするものであり、請求項１記載の発明の場合は、容器体の底部内へ、摺動底板13の外周面を容器体周壁３内面へ水密に接して上昇可能に嵌合させ、又容器体底壁２の一部を、肉薄ヒンジ形成用の直線凹溝６, ６と、該凹溝両端間に設けた破断線８，８とで囲成した底上げ用板部９, ９に形成したから、収納クリーム状物が少なくなって取り出し難くなった場合には、破断線８，８を破断させ、かつ直線凹溝６, ６で形成した肉薄ヒンジを屈折させて底上げ用板部９, ９を起立させることで、摺動底板13を押上げて収納クリーム状物を容器体周壁３の上半内へ移動させることができ、よって、収納クリーム状物を最初から最後まで容易に取り出すことができ、又収納物の使用頻度、使用量等を考慮して、容器の容量を広範囲で調整できる。
【００１７】
また、本発明は、容器体１を、内外二重容器1a,1bを重ね合わせて形成し、それ等内外両容器底板2a ,2bの一方は大きく開口５すると共に、他方底板を容器体底壁２としたから、作製上の都合等を考慮して、内外容器1a,1bの底板のうちの一方に底上げ用板部９,９を適宜形成できる。
【００１８】
さらに、本発明は、底壁２左右ないし前後方向中間部分のうち、該中間部分の両端部を除く部分両側に直線凹溝６,６を穿設すると共に、上記両端部を除く、底壁２外周縁との間に小間隔を隔てた外周部分に破断線８,８を形成したから、破断線を破断させ、かつ直線凹溝６, ６で形成した肉薄ヒンジを屈折させて底上げ用板部９,９を起立させることで、摺動底板13を容易に押上げることができる。
【００１９】
さらに、本発明は、底壁２外周縁内の左右又は前後両部に大きくかつ平行に同一大きさの長方形を想定して、それ等両長方形の各辺のうち、相反する側の短辺に直線凹溝６,６をそれぞれ穿設すると共に、残りの三辺に破断線８, ８をそれぞれ形成したから、破断線を破断させ、かつ直線凹溝６,６で形成した肉薄ヒンジを屈折させて底上げ用板部９,９を起立させることで、摺動底板13を容易に押上げることができる。
【図面の簡単な説明】
【図１】  本発明容器の一実施形態を示す縦断面図である。
【図２】  摺動底板を押し上げた状態で示す同実施形態の縦断面図である。
【図３】  同実施形態の主要部分の斜視図である。
【図４】  本発明容器の他の実施形態を示す主要部分の斜視図である。
【符号の説明】
１…容器体  1a…外容器  1b…内容器
13…摺動底板  18…キャップ
【図１】
0003957938.tif 000002
【図２】
0003957938.tif 000003
【図３】
0003957938.tif 000004
【図４】
0003957938.tif 000005